(57)【要約】      （修正有）【課題】装置が内蔵されるケースを、背面板と底面の排水処理パンとでなるベース本体と、正面板と左右の側面板とでなる着脱自在なカバーとで構成し、その上部空間に着脱自在な貯留槽を設けることにより、簡単に分解して清掃が行える排熱回収装置を提供する。【解決手段】排熱回収装置に次の手段を付加する。第１、排水の貯留槽２が着脱自在に配置されたケースを、排水処理パン８とケースの背面板１４とが固定的に装着されたベース本体７に、ケースの正面板１５と左右側面板９とが連結されたカバー５が、着脱自在に装着されたものとする。第２、流水配管をケース内に装着するため、背面板に流水配管支持棒を設け、正面板に流水配管支持棒を設け、排水処理パンには、背面板と正面板の流水配管支持棒とで、流水配管を押さえる内側流水配管支持棒を設け、更に、流水配管を側面から支持する側面流水配管支持棒も設け、これらの流水配管支持棒で流水配管を挟持する。【選択図】図１
2019207051.tif 000002
【特許請求の範囲】
【請求項１】
上方に排水が取り込まれる貯留槽が着脱自在に配置された箱形のケース内に巻き回され中央空間が形成された熱交換用の流水配管が配置され、前記貯留槽の底部に設けられた複数の穴より該流水配管に向かって滴下された排水が、該流水配管の表面に沿って下方へと移動しながら、給水取入口より該流水配管内を通過する供給水との間で熱交換を行い、給水吐出口より取り出されるよう構成された排熱回収装置において、
前記ケースは、外部への排水口を有する浅い排水処理パンと前記ケースの背面板とが固定的に装着されたベース本体に、前記ケースの正面板と左右の側面板とが連結されたカバーが、該ベース本体に着脱自在に装着されたものであり、
前記流水配管の前記ケース内への装着のため、
前記ベース本体の背面板の内側面には所望本数の背面板流水配管支持棒が垂直方向に設けられ、
前記カバーの正面板の内側面には所望本数の正面板流水配管支持棒が垂直方向に設けられ、
前記ベース本体の排水処理パンには、前記背面板流水配管支持棒と正面板流水配管支持棒と対応する位置に、前記流水配管を内側の中央空間側より押さえる内側流水配管支持棒が垂直方向に設けられ、
更に、前記巻き回された流水配管の左右の側面を外側より支持する側面流水配管支持棒が垂直方向に設けられ、
これらの流水配管支持棒で前記流水配管を挟持することを特徴とする排熱回収装置。
【請求項２】
上記カバーの左右の側面板の背面側の上方部に固定具を装着し、該固定具に対応する位置の上記ベース本体の背面板に固定具受け部を形成し、前記カバーを上記排水処理パンの正面及び左右の側面の立上り縁上に載置し、前記固定具と前記固定具受け部とで固定することを特徴とする請求項１に記載の排熱回収装置。
【請求項３】
上記背面板の内側より上記正面板の内側の間に渡され、上記流水配管を上下より挟持する上下止め金具を、背面板側の上記内側流水配管支持棒とそれに近接する正面板側の上記内側流水配管支持棒に固定して、前記流水配管の上下位置を固定することを特徴とする請求項１及び２に記載の排熱回収装置。
【請求項４】
上記上止め金具を上記ベース本体の背面板に設けた金具受に、差し込み固定することにより、上記内側流水配管支持棒の歪みを防止することを特徴とする請求項３に記載の排熱回収装置。
【請求項５】
上記貯留槽の上面に蓋体を装備したことを特徴とする請求項１または２または３または４に記載の排熱回収装置。
【発明の詳細な説明】
【技術分野】
【０００１】
本発明は、排熱回収装置に関するものであり、詳しくは、装置が内蔵されるケースをベース本体と着脱自在なカバーとで構成して、簡単にカバーを外して清掃が行える排熱回収装置に関するものである。
【背景技術】
【０００２】
排熱回収装置は、熱交換を行う流水配管廻りを清掃せずに汚れがでると熱交換効率が落ちるため、装置運用にあたって清掃が重要な作業となっていた。その上、排熱回収装置は、貯留槽の排水を正確に熱交換を行う流水配管に滴下しないと熱交換効率が著しく低下する。従って、貯留槽からの滴下位置と流水配管の位置とをしっかり位置だしをして、排水を正確に流水配管に滴下することが必要であった。
【０００３】
従来の排熱回収装置はケース内に流水配管を固定し、流水配管にケース上部に設けられた貯留槽より排水を滴下する位置だしをしていた。そのため、貯留槽を外して清掃を行うことはできず、正面板や側面板に窓を形成し、該窓を開けて、日々の清掃を行うため、装置全体の清掃は困難であった。勿論、上部の貯留槽を外すことで流水配管に上部からホースなどで放水し、日々清掃を行うことも検討されたが、流水配管の下層部の清掃は不十分であった。
【０００４】
そこで、流水配管全体を清掃可能とするため、特許文献１に示されるような熱交換装置が提案された。該装置は、熱交換部と称する流水配管をユニット化して、ユニットを外部に取り出し、ユニット全体の清掃はできるが、そのために伝熱媒体流入口（給水取入口）及び伝熱媒体排出口（給水吐出口）と、それぞれの配管との縁切りが必要となる。縁切りのためには工具が必要であり、日々の手入れができにくいという欠点があった。
【先行技術文献】
【特許文献】
【０００５】
【特許文献１】特許第６２７１８１６号特許公報
【発明の概要】
【発明が解決しようとする課題】
【０００６】
そこで、本発明では、次の目的を達成しようとするものである。
第１の目的は、流水配管を清掃する際には、貯留槽を取り外した上、正面板と左右の側面板とが連結されたカバーをベース本体より、工具を使用せずに着脱自在とすることにより、上面及び３側面より簡単に清掃することができる排熱回収装置を提供することである。
第２の目的は、排熱回収装置においては、貯留槽からの滴下位置と流水配管の位置をしっかりと位置だしできる構造が必要となるが、所望数の流水配管支持棒により流水配管を挟持することにより、流水配管をしっかり位置だしできる構造として、貯留槽からの滴下位置との間にズレを生ずることがなく、熱交換率の良い排熱回収装置を提供することである。
第３の目的は、貯留槽の上面に蓋体を装備することにより、エネルギーの放出を防止して、熱交換率を高めることのできる排熱回収装置を提供することである。
【課題を解決するための手段】
【０００７】
上記課題を解決するために、第１の発明は排熱回収装置を次のように構成する。
第１に、上方に排水が取り込まれる貯留槽が着脱自在に配置された箱形のケース内に巻き回され中央空間が形成された熱交換用の流水配管が配置され、前記貯留槽の底部に設けられた複数の穴より該流水配管に向かって滴下された排水が、該流水配管の表面に沿って下方へと移動しながら、給水取入口より該流水配管内を通過する供給水との間で熱交換を行い、給水吐出口より取り出されるよう構成された排熱回収装置とする。
第２に、前記ケースは、外部への排水口を有する浅い排水処理パンと前記ケースの背面板とが固定的に装着されたベース本体に、前記ケースの正面板と左右の側面板とが連結されたカバーが、該ベース本体に着脱自在に装着されたものとする。
第３に、前記流水配管の前記ケース内への装着のため、前記ベース本体の背面板の内側面には所望本数の背面板流水配管支持棒が垂直方向に設けられ、前記カバーの正面板の内側面には所望本数の正面板流水配管支持棒が垂直方向に設けられ、前記ベース本体の排水処理パンには、前記背面板流水配管支持棒と正面板流水配管支持棒と対応する位置に、前記流水配管を内側の中央空間側より押さえる内側流水配管支持棒が垂直方向に設けられ、更に、前記巻き回された流水配管の左右の側面を外側より支持する側面流水配管支持棒が垂直方向に設けられ、これらの流水配管支持棒で前記流水配管を挟持する。
【０００８】
第２の発明は、第１の発明に、次の手段を付加した排熱回収装置である。
第１に、上記カバーの左右の側面板の背面側の上方部に固定具を装着し、該固定具に対応する位置の上記ベース本体の背面板に固定具受け部を形成する。
第２に、カバーを排水処理パンの正面及び左右の側面の立上り縁上に載置し、前記固定具と前記固定具受け部とで固定する。
【０００９】
第３の発明は、第１及び第２の発明に、背面板の内側より正面板の内側の間に渡され、流水配管を上下より挟持する上下止め金具を、背面板側の上記内側流水配管支持棒とそれに近接する正面板側の上記内側流水配管支持棒に固定して、前記流水配管の上下位置を固定するという手段を付加した排熱回収装置である。
【００１０】
第４の発明は、第３の発明に、上記上止め金具をベース本体の背面板に設けた金具受に、差し込み固定することにより、上記内側流水配管支持棒の歪みを防止するという手段を付加した排熱回収装置である。
【００１１】
第５の発明は、第１または第２または第３または第４の発明に、上記貯留槽の上面に蓋体を装備したことを付加した排熱回収装置である。
【発明の効果】
【００１２】
第１の発明は、次の効果を有する。
第１に、本願発明では、正面板と左右の側面板とが連結されたカバーを、ベース本体より外しても、ベース本体の背面板の所望本数の背面板流水配管支持棒と、ベース本体の排水処理パンに設けられた内側流水配管支持棒により流水配管を挟持できるので、ベース本体に対してカバーを着脱自在とすることができ、流水配管を清掃する際には、カバーをベース本体より取り外して、排熱回収装置を上面及び３側面より簡単丁寧に清掃することができ、汚れによる熱交換効率の低下を防止できた。
【００１３】
第２に、本願発明では、ベース本体の背面板の内側面には所望本数の背面板流水配管支持棒が垂直方向に設けられ、カバーの正面板の内側面には所望本数の正面板流水配管支持棒が垂直方向に設けられ、ベース本体の排水処理パンには、背面板流水配管支持棒と正面板流水配管支持棒と対応して、流水配管を内側より押さえる内側流水配管支持棒が垂直方向に設けられ、更に、巻き回された流水配管の左右の側面を外側より支持する側面流水配管支持棒が垂直方向に設けられ、これらの流水配管支持棒で前記流水配管を挟持するので、流水配管はしっかり位置だしできる構造となっており、貯留槽との間にズレを生ずることがなく、熱交換率の良い排熱回収装置となった。
【００１４】
第２の発明は、カバーに固定具を装着し、固定具に対応する位置のベース本体に固定具受け部を形成し、カバーを排水処理パンの正面及び左右の側面の立上り縁上に載置し、固定具を固定具受け部と係合させて固定するものなので、カバーとベース本体とを工具なしで、簡単に装着及び取り外し可能となった結果、清掃が楽な上、カバーをベース本体に装着する作業も楽な排熱回収装置となった。
【００１５】
第３の発明は、背面板側より正面板側に渡って配置され、流水配管を上下より挟持固定する上下止め金具を設け、背面板側の内側流水配管支持棒とそれに近接する正面板側の内側流水配管支持棒の下方部に下止め金具を配置して固定し、配置した該下止め金具の上に流水配管を配置し、該流水配管の上端に上止め金具を配置して固定して、流水配管の上下位置を固定するものなので、流水配管の位置だしをより確実にできる排熱回収装置となった。
【００１６】
第４の発明は、上止め金具をベース本体の背面板に設けた金具受に、差し込み固定することにより、内側流水配管支持棒の歪みを防止するので、結果的に流水配管の位置だしをより確実に行える排熱回収装置となった。
【００１７】
第５の発明は、貯留槽の上面に蓋体を装備したものなので、貯留槽の上部から熱エネルギーが放出してしまうことを防止でき、熱交換率を高めることのできる排熱回収装置となった。
【図面の簡単な説明】
【００１８】
【図１】本実施例でのベース本体とカバーと貯留槽の概要を示す分解斜視図
【図２】本実施例での流水配管以外の構成品を示す分解断面説明図
【図３】流水配管の概要を示す正面断面説明図
【図４】流水配管を省略した状態の正面断面説明図
【図５】貯留槽を取り除いた状態の流水配管の概要を示す平面説明図
【図６】貯留槽及び流水配管を省略した状態の平面説明図
【図７】貯留槽を取り付けた状態の平面説明図
【図８】貯留槽を取り付けた状態の側面断面説明図
【発明を実施するための形態】
【００１９】
以下、図示の実施例と共に、本発明の実施の形態について説明する。
本願発明の排熱回収装置は、排水用温水を利用して、供給水を加熱して吐出させる排熱回収装置、及び、排水用冷水を利用して、供給水を冷却して吐出させる排熱回収装置などに利用可能であるが、実施例では、暖かい排水用温水を利用して、供給水を加熱して吐出させる排熱回収装置について説明する。
図示される排熱回収装置は、上方が開放された箱形のケース１と、ケース１上部に配置される熱交換用の排水用温水の貯留槽２と、該貯留槽２の上面に装着される蓋体３と、中央空間部Ａを設けて略方形に巻き回して形成され、貯留槽２から排水用温水を滴下され熱交換を行う流水配管４と、よりなる。図１は流水配管４と蓋体３を省略した本実施例での、ケース１を構成するベース本体７とカバー５に貯留槽２を加えた状態の概要を示す分解斜視図である。
【００２０】
貯留槽２は、排水用温水が取り込まれるもので、底部１２には、流水配管４に向かって排水用温水を流れ落とすための複数の穴６が、流水配管４に対応する位置に穿設されている。実施例では、図７の貯留槽２を取り付けた状態の平面説明図に示されるように、貯留槽２の正面側、背面側、左右側面側の底部１２に穿設されている。尚、この貯留槽２の底部１２の穴６の下方には、図５に示されるように流水配管４が巻き回されている。
【００２１】
図１に示されるように実施例での貯留槽２は、上方が開口されたものであるので、装置の熱交換効率を高めるため、蓋体３を装着してある。蓋体３は図１には示されておらず、図２の構成品を示す分解断面説明図にのみ示されている。勿論、蓋体３を設けるのではなく、排水用温水の取入口を開口した天井面を有する貯留槽２とすることもできる。
【００２２】
尚、貯留槽２は、図８に示されるようにケース１の上端の正面と背面に係止めできるような幅を有するが、左右の長さは、図３に示されるように、ケース１の左右上端より若干内側に位置し、貯留槽２の左右端部とケース１の上方開口部内側との間に空間９０、９１が生じる長さに設定されている。図３中右方端の空間９０は流水配管４の給水取入口１０と給水吐出口１１の配置用の空間９０であり、左方端の細い空間９１は、貯留槽２に処理量を超える排水用温水が供給された場合のオーバーフロー用の空間９１であって、ケース１内の後に説明するベース本体７の排水処理パン８にあふれた排水用温水を落とし、ケース１外、即ち、排水処理パン８外に排水用温水をこぼすことがないように設計されている。
【００２３】
箱形のケース１は、ベース本体７とカバー５とよりなる。ベース本体７は、図１に示されるように外部への排水口１３を有する浅い排水処理パン８とケース１の背面板１４とが固定的に装着されたものである。カバー５は、ケース１の正面板１５と左右の側面板９とが連結されたものである。カバー５はベース本体７に着脱自在に装着される。
【００２４】
具体的に説明すると図４及び図８及び図２に表れるように、カバー５は、ベース本体７の排水処理パン８の正面及び左右側面の立ち上がり縁１６の上端部１７に載置される。そのためカバー５の下端部には立ち上がり縁１６の上端部１７にズレずに載置されるよう引っかけ部１８が形成されている。カバー５の立ち上がり縁１６からの落下は、引っかけ部１８にて防止可能である。
【００２５】
尚、カバー５は、上記引っかけ部１８によりベース本体７上の位置だしが一応なされるが、より確実にするため、図２、図７、図８に示すようにベース本体７の背面板１４の上部左右端部から若干内側の位置には、カバー５の挿入位置を決めるカバー位置決め棒１９がついている。このカバー位置決め棒１９にカバー５の左右の側面板９を当接させることでカバー５の正確な位置だしができる。
詳しくは、図７の部分拡大部に示されるように、側面板９の背面側の端辺に位置決め用に内側へ向かう曲げ部９Ａを形成し、他方、カバー位置決め棒１９を、背面板１４の上部左右端部から、側面板９の曲げ部９Ａの長さ分内側の位置に配置し、側面板９の曲げ部９Ａの端部を当接させることでカバー５の正確な位置だしを可能としている。更に、背面板１４の上端で内側への曲げ部１４Ａを形成し、側面板９の上端が、該曲げ部１４Ａに接した状態で挿入されることでしっかりとした固定と位置決めができる。
【００２６】
ベース本体７とカバー５の位置ズレが生ずると、ベース本体７に装着された流水配管４と、カバー５と背面板１４に係止めされた貯留槽２の位置関係のズレが生じ、貯留槽２から滴下される排水用温水が適切に流水配管４に滴下されなくなるので、それを防止している。
【００２７】
図示されていないがカバー５の左右の側面板９の外側上部には蝶番固定具が取り付けられており、蝶番固定具に対応する位置の背面板１４の外側に蝶番受けが取り付けられており、この固定具によりカバー５とベース本体７とを固定するようになっている。ベース本体７とカバー５の位置がズレていると蝶番固定具が閉まらないようになっているが、多少のズレの場合には、蝶番固定具が位置ズレを補正するようになっている。
【００２８】
ベース本体７及びカバー５には、流水配管４の位置を支持する流水配管支持棒がついている。ベース本体７の背面板１４の内側面には所望本数、好ましくは複数本の背面板流水配管支持棒２１が垂直方向に設けられる。実施例では、図５及び図６に示されるように背面板１４の内側面の左右と中央部の３か所に計３本設けられている。
【００２９】
ベース本体７の排水処理パン８には、背面板流水配管支持棒２１と対応して、流水配管４を内側、即ち、中央空間部Ａ側より押さえる内側流水配管支持棒２２が、図５及び図２で示されるように流水配管４の太さ分内側の垂直方向に設けられる。実施例では、背面板流水配管支持棒２１に対応する位置の３か所に計３本設けられている。対向する各３本ずつの背面板流水配管支持棒２１と内側流水配管支持棒２２とで流水配管４を挟持するものである。
【００３０】
カバー５の正面板１５の内側面には所望本数、好ましくは複数本の正面板流水配管支持棒２３が垂直方向に設けられる。実施例では、背面板流水配管支持棒２１に向かい合う位置で正面板１５の内側面の左右と中央部の３か所に計３本設けられている。
【００３１】
この正面板流水配管支持棒２３に対応する位置のベース本体７の排水処理パン８には、正面板流水配管支持棒２３と対応して、流水配管４を内側、即ち中央空間部Ａ側より押さえる内側流水配管支持棒２４が、図５で示されるように流水配管４の太さ分内側の垂直方向に設けられる。実施例では、流水配管４の内側の正面板流水配管支持棒２３に対応する位置の３か所に計３本設けられている。対向する各３本ずつの正面板流水配管支持棒２３と内側流水配管支持棒２４とで流水配管４を挟持する。
【００３２】
尚、巻き回された流水配管４の左右の側面を外側より支持する側面流水配管支持棒２５、２６が垂直方向に設けられる。実施例では、右側の側面流水配管支持棒２５が、流水配管４の右側面中央の外側の排水処理パン８上に垂直方向に設けられる。左側の側面流水配管支持棒２６が、カバー５の左の側面板９中央の内側面に垂直方向に設けられる。左右の側面流水配管支持棒２５、２６で巻き回された流水配管４全体を左右から挟持するものである。
【００３３】
以上の流水配管支持棒２１乃至２６を設けるのは、各流水配管支持棒２１乃至２６で流水配管４を挟むことにより、流水配管４を水平方向で固定し、流水配管４の位置だしをするものである。
【００３４】
流水配管４は、上下の止め金具２７、２８で上下方向から挟持され固定される。即ち、図８に示されるように下止め金具２８上に流水配管４を配置し、上止め金具２７で流水配管４を上端から押さえつける形で挟持固定するものである。
【００３５】
下止め金具２８は、図８に示されるように、背面板１４の内側より正面板１５の内側の間に配置され、内側流水配管支持棒２２、２４の下方部に固定されている。尚、図示されていないが、内側流水配管支持棒２２、２４は全ネジに形成されており、下止め金具２８は、該ネジにボルトで固定されている。尚、下止め金具２８及び上止め金具２７は、正面板１５の内側から背面板１４の内側に至る長さの長尺板よりなり、左右と中央の内側流水配管支持棒２２、２４間の３か所に配置されている。
【００３６】
配置された３か所の下止め金具２８の上に流水配管４が配置される。該流水配管４を上端部より押しつけ、下止め金具２８とで挟持固定する上止め金具２７が存在する。下止め金具２８が取り付けられている内側流水配管支持棒２２、２４の上方部に固定されて、背面板１４の内側より正面板１５の内側の間に配置され、下止め金具２８と同様、内側流水配管支持棒２２、２４にネジ止め固定されている。
【００３７】
更に、図８の部分拡大部に示されるように、上止め金具２７の両端部を下方へ向かう曲げ部２７Ａを形成し、背面側の曲げ部２７Ａは、ベース本体７の背面板１４に設けた金具受２９（図４にも示されている）に、差し込み固定される。これにより内側流水配管支持棒２２、２４の歪みを防止するものである。その結果、流水配管４の位置だしが確実なものとなる。
【００３８】
流水配管４は、中央空間部Ａを設けて略方形に巻き回して形成され、箱形のケース１内に配置される。流水配管４には、貯留槽２の底部１２に設けられた複数の穴６より排水用温水が流れ落とされる。排水用温水が流水配管４の表面に沿って下方へと移動することにより、給水取入口１０より取り入れられた供給水は下方の流水配管４内から上方の流水配管４内へと通過する際に温められ、給水吐出口１１より上方へ取り出されるものである。
【００３９】
流水配管４の給水取入口１０及び給水吐出口１１は、貯留槽２右側方のケース１の空間９０より外部に取り出される。そのための配管取出口固定板３０が、空間９０に配置されている。配管取出口固定板３０は、図７に示されるように、その側面側がカバー５の側面板９の内側に当たることにより、カバー５の位置出棒の役割も兼ねている。
【００４０】
尚、ベース本体７の背面板１４の天面左右と、カバー５の正面板１５の天面左右には、貯留槽２の位置出金具３１が設けられており、該位置出金具３１に合わせて貯留槽２を載せ、貯留槽２の上から蓋体３を載せてある。
【符号の説明】
【００４１】
１・・・・・・・・ケース
２・・・・・・・・貯留槽
３・・・・・・・・蓋体
４・・・・・・・・流水配管
５・・・・・・・・カバー
６・・・・・・・・穴
７・・・・・・・・ベース本体
８・・・・・・・・排水処理パン
９・・・・・・・・側面板
９Ａ・・・・・・・曲げ部
１０・・・・・・・給水取入口
１１・・・・・・・給水吐出口
１２・・・・・・・底部
１３・・・・・・・排出口
１４・・・・・・・背面板
１４Ａ・・・・・・曲げ部
１５・・・・・・・正面板
１６・・・・・・・立ち上がり縁
１７・・・・・・・先端部
１８・・・・・・・引っかけ部
１９・・・・・・・カバー位置決め棒
２１・・・・・・・背面板流水配管支持棒
２２、２４・・・・内側流水配管支持棒
２３・・・・・・・正面板流水配管支持棒
２５、２６・・・・側面流水配管支持棒
２７・・・・・・・上止め金具
２７Ａ・・・・・・曲げ部
２８・・・・・・・下止め金具
２９・・・・・・・金具受
３０・・・・・・・配管取出口固定板
３１・・・・・・・位置出金具
９０、９１・・・・空間
Ａ・・・・・・・・中央空間部
【図１】
2019207051.tif 000003
【図２】
2019207051.tif 000004
【図３】
2019207051.tif 000005
【図４】
2019207051.tif 000006
【図５】
2019207051.tif 000007
【図６】
2019207051.tif 000008
【図７】
2019207051.tif 000009
【図８】
2019207051.tif 000010